(57)【要約】【課題】移動通信端末を使用して、入力手段を備えていない電子機器の動作を直接制御する電子機器制御システムを提供する。【解決手段】移動通信端末を使用して、サーバを介して制御対象の電子機器を制御する電子機器制御システムであって、移動通信端末が電子機器の機器特定情報を制御対象の電子機器から取得する機器特定情報取得手段と、電子機器が自己の機器特定情報を含む接続要求を送信し、サーバに接続する第一の接続手段と、移動通信端末が制御対象の電子機器から取得した機器特定情報を含む接続要求を送信し、サーバに接続する第二の接続手段と、第一の接続手段による接続要求と第二の接続手段による接続要求とが同時に送信された場合に、移動通信端末と電子機器とを関連付けて、サーバ内の関連付けテーブルに登録する関連付け手段とを備えた。【選択図】図１
2008147768.tif 000002
【特許請求の範囲】
【請求項１】
移動通信端末を使用して、サーバを介して制御対象の電子機器を制御する電子機器制御システムであって、
前記移動通信端末が前記電子機器の機器特定情報を制御対象の電子機器から取得する機器特定情報取得手段と、
前記電子機器が自己の機器特定情報を含む接続要求を送信し、前記サーバに接続する第一の接続手段と、
前記移動通信端末が前記制御対象の電子機器から取得した機器特定情報を含む接続要求を送信し、前記サーバに接続する第二の接続手段と、
前記第一の接続手段による接続要求と前記第二の接続手段による接続要求とが同時と見なすことができる時間内に送信された場合に、前記移動通信端末と前記電子機器とを関連付けて、前記サーバ内の関連付けテーブルに登録する関連付け手段と
を備えたことを特徴とする電子機器制御システム。
【請求項２】
移動通信端末を使用して、サーバを介して制御対象の電子機器を制御する電子機器制御システムであって、
前記電子機器が接続要求を送信し、前記サーバに接続する第一の接続手段と、
前記移動通信端末が接続要求を送信し、前記サーバに接続する第二の接続手段と、
前記サーバから前記移動通信端末と前記制御対象の電子機器に対して、位置情報取得要求を送信する位置情報取得要求送信手段と、
前記位置情報取得要求に対して、前記移動通信端末と前記制御対象の電子機器とが応答した位置情報が一致したと見なせる場合に、前記移動通信端末と前記電子機器とを関連付けて、前記サーバ内の関連付けテーブルに登録する関連付け手段と
を備えたことを特徴とする電子機器制御システム。
【請求項３】
移動通信端末を使用して、サーバを介して制御対象の電子機器を制御する電子機器制御システムであって、
前記制御対象の電子機器が前記サーバに対して、認証要求を送信する認証要求送信手段と、
前記制御対象の電子機器が認証できた場合に、前記サーバが該電子機器に対して、識別情報を送信する識別情報送信手段と、
前記制御対象の電子機器が受信した識別情報を前記移動通信端末が取得する識別情報取得手段と、
前記移動通信端末が前記識別情報を含む接続要求を前記サーバに対して送信する接続要求送信手段と、
前記接続要求に含まれる前記識別情報と、前記電子機器に対して送信した識別情報とが一致した場合に、前記移動通信端末と前記電子機器とを関連付けて、前記サーバ内の関連付けテーブルに登録する関連付け手段と
を備えたことを特徴とする電子機器制御システム。
【請求項４】
移動通信端末を使用して、サーバを介して制御対象の電子機器を制御する電子機器制御システムであって、
前記移動通信端末が前記電子機器の機器特定情報を制御対象の電子機器から取得する機器特定情報取得手段と、
前記移動通信端末が前記制御対象の電子機器から取得した機器特定情報を含む接続要求を送信し、前記サーバに接続する接続手段と、
前記接続手段による接続要求に含まれる機器特定情報に基づいて、前記移動通信端末と前記電子機器とを関連付けて、前記サーバ内の関連付けテーブルに登録する関連付け手段と
を備えたことを特徴とする電子機器制御システム。
【請求項５】
移動通信端末を使用して、サーバを介して制御対象の電子機器を制御する電子機器制御方法であって、
前記移動通信端末が前記電子機器の機器特定情報を制御対象の電子機器から取得する機器特定情報取得ステップと、
前記電子機器が自己の機器特定情報を含む接続要求を送信し、前記サーバに接続する第一の接続ステップと、
前記移動通信端末が前記制御対象の電子機器から取得した機器特定情報を含む接続要求を送信し、前記サーバに接続する第二の接続ステップと、
前記第一の接続ステップによる接続要求と前記第二の接続ステップによる接続要求とが同時と見なすことができる時間内に送信された場合に、前記移動通信端末と前記電子機器とを関連付けて、前記サーバ内の関連付けテーブルに登録する関連付けステップと
を有することを特徴とする電子機器制御方法。
【請求項６】
移動通信端末を使用して、サーバを介して制御対象の電子機器を制御する電子機器制御方法であって、
前記電子機器が接続要求を送信し、前記サーバに接続する第一の接続ステップと、
前記移動通信端末が接続要求を送信し、前記サーバに接続する第二の接続ステップと、
前記サーバから前記移動通信端末と前記制御対象の電子機器に対して、位置情報取得要求を送信する位置情報取得要求送信ステップと、
前記位置情報取得要求に対して、前記移動通信端末と前記制御対象の電子機器とが応答した位置情報が一致したと見なせる場合に、前記移動通信端末と前記電子機器とを関連付けて、前記サーバ内の関連付けテーブルに登録する関連付けステップと
を有することを特徴とする電子機器制御方法。
【請求項７】
移動通信端末を使用して、サーバを介して制御対象の電子機器を制御する電子機器制御方法であって、
前記制御対象の電子機器が前記サーバに対して、認証要求を送信する認証要求送信ステップと、
前記制御対象の電子機器が認証できた場合に、前記サーバが該電子機器に対して、識別情報を送信する識別情報送信ステップと、
前記制御対象の電子機器が受信した識別情報を前記移動通信端末が取得する識別情報取得ステップと、
前記移動通信端末が前記識別情報を含む接続要求を前記サーバに対して送信する接続要求送信ステップと、
前記接続要求に含まれる前記識別情報と、前記電子機器に対して送信した識別情報とが一致した場合に、前記移動通信端末と前記電子機器とを関連付けて、前記サーバ内の関連付けテーブルに登録する関連付けステップと
を有することを特徴とする電子機器制御方法。
【請求項８】
移動通信端末を使用して、サーバを介して制御対象の電子機器を制御する電子機器制御方法であって、
前記移動通信端末が前記電子機器の機器特定情報を制御対象の電子機器から取得する機器特定情報取得ステップと、
前記移動通信端末が前記制御対象の電子機器から取得した機器特定情報を含む接続要求を送信し、前記サーバに接続する接続ステップと、
前記接続ステップによる接続要求に含まれる機器特定情報に基づいて、前記移動通信端末と前記電子機器とを関連付けて、前記サーバ内の関連付けテーブルに登録する関連付けステップと
を有することを特徴とする電子機器制御方法。
【発明の詳細な説明】
【技術分野】
【０００１】
本発明は、移動通信端末を使用して、入力手段を備えていない電子機器の動作を制御する電子機器制御システム及び電子機器制御方法に関する。
【背景技術】
【０００２】
従来から電子機器の遠隔制御を指令したユーザに対してより確実な制御結果を通知するために、携帯電話機から入力された電子機器に対する遠隔制御指令は、移動パケット通信網等を介してホームサーバへ送信され、ホームサーバは、受信した遠隔制御指令に従って電子機器を制御する電子機器の遠隔制御方法が知られている（例えば、特許文献１参照）。この遠隔制御方法では、ユーザ宅内に設置された携帯電話機が、ユーザが携帯している携帯電話機とホームサーバとのパケット通信を中継するとともに、遠隔制御後の電子機器の状態を示す画像を撮像して、ユーザが携帯している携帯電話機へ送信することにより、遠隔制御の操作を行ったユーザの携帯電話機の液晶表示部には、制御結果として撮像された画像が表示されるように構成されている。これによりユーザは、制御結果を画像によって確認することが可能となる。
【特許文献１】特開２００４−９６３９７号公報
【発明の開示】
【発明が解決しようとする課題】
【０００３】
しかしながら、特許文献１に示す電子機器の遠隔制御方法にあっては、ホームサーバを介して制御対象の電子機器を制御する構成であったために、ホームサーバを自宅等に設置しなければならず、またホームサーバに接続された機器のみが制御対象であるため、簡単に制御対象機器を増設したりすることができないという問題がある。また、携帯電話機から制御対象機器を制御しようとする場合、制御対象機器をネットワークに接続するための入力操作を行うことができる入力手段が制御対象機器に備えていなければならないという問題がある。
【０００４】
本発明は、このような事情に鑑みてなされたもので、移動通信端末を使用して、入力手段を備えていない電子機器の動作を直接制御する電子機器制御システム及び電子機器制御方法を提供することを目的とする。
【課題を解決するための手段】
【０００５】
本発明は、移動通信端末を使用して、サーバを介して制御対象の電子機器を制御する電子機器制御システムであって、前記移動通信端末が前記電子機器の機器特定情報を制御対象の電子機器から取得する機器特定情報取得手段と、前記電子機器が自己の機器特定情報を含む接続要求を送信し、前記サーバに接続する第一の接続手段と、前記移動通信端末が前記制御対象の電子機器から取得した機器特定情報を含む接続要求を送信し、前記サーバに接続する第二の接続手段と、前記第一の接続手段による接続要求と前記第二の接続手段による接続要求とが同時と見なすことができる時間内に送信された場合に、前記移動通信端末と前記電子機器とを関連付けて、前記サーバ内の関連付けテーブルに登録する関連付け手段とを備えたことを特徴とする。
【０００６】
本発明は、移動通信端末を使用して、サーバを介して制御対象の電子機器を制御する電子機器制御システムであって、前記移動通信端末が前記電子機器の機器特定情報を制御対象の電子機器から取得する機器特定情報取得手段と、前記電子機器が自己の機器特定情報を含む接続要求を送信し、前記サーバに接続する第一の接続手段と、前記移動通信端末が前記制御対象の電子機器から取得した機器特定情報を含む接続要求を送信し、前記サーバに接続する第二の接続手段と、前記サーバから前記移動通信端末と前記制御対象の電子機器に対して、位置情報取得要求を送信する位置情報取得要求送信手段と、前記位置情報取得要求に対して、前記移動通信端末と前記制御対象の電子機器とが応答した位置情報が一致したと見なせる場合に、前記移動通信端末と前記電子機器とを関連付けて、前記サーバ内の関連付けテーブルに登録する関連付け手段とを備えたことを特徴とする。
【０００７】
本発明は、移動通信端末を使用して、サーバを介して制御対象の電子機器を制御する電子機器制御システムであって、前記制御対象の電子機器が前記サーバに対して、認証要求を送信する認証要求送信手段と、前記制御対象の電子機器が認証できた場合に、前記サーバが該電子機器に対して、識別情報を送信する識別情報送信手段と、前記制御対象の電子機器が受信した識別情報を前記移動通信端末が取得する識別情報取得手段と、前記移動通信端末が前記識別情報を含む接続要求を前記サーバに対して送信する接続要求送信手段と、前記接続要求に含まれる前記識別情報と、前記電子機器に対して送信した識別情報とが一致した場合に、前記移動通信端末と前記電子機器とを関連付けて、前記サーバ内の関連付けテーブルに登録する関連付け手段とを備えたことを特徴とする。
【０００８】
本発明は、移動通信端末を使用して、サーバを介して制御対象の電子機器を制御する電子機器制御システムであって、前記移動通信端末が前記電子機器の機器特定情報を制御対象の電子機器から取得する機器特定情報取得手段と、前記移動通信端末が前記制御対象の電子機器から取得した機器特定情報を含む接続要求を送信し、前記サーバに接続する接続手段と、前記接続手段による接続要求に含まれる機器特定情報に基づいて、前記移動通信端末と前記電子機器とを関連付けて、前記サーバ内の関連付けテーブルに登録する関連付け手段とを備えたことを特徴とする。
【０００９】
本発明は、移動通信端末を使用して、サーバを介して制御対象の電子機器を制御する電子機器制御方法であって、前記移動通信端末が前記電子機器の機器特定情報を制御対象の電子機器から取得する機器特定情報取得ステップと、前記電子機器が自己の機器特定情報を含む接続要求を送信し、前記サーバに接続する第一の接続ステップと、前記移動通信端末が前記制御対象の電子機器から取得した機器特定情報を含む接続要求を送信し、前記サーバに接続する第二の接続ステップと、前記第一の接続ステップによる接続要求と前記第二の接続ステップによる接続要求とが同時と見なすことができる時間内に送信された場合に、前記移動通信端末と前記電子機器とを関連付けて、前記サーバ内の関連付けテーブルに登録する関連付けステップとを有することを特徴とする。
【００１０】
本発明は、移動通信端末を使用して、サーバを介して制御対象の電子機器を制御する電子機器制御方法であって、前記移動通信端末が前記電子機器の機器特定情報を制御対象の電子機器から取得する機器特定情報取得ステップと、前記電子機器が自己の機器特定情報を含む接続要求を送信し、前記サーバに接続する第一の接続ステップと、前記移動通信端末が前記制御対象の電子機器から取得した機器特定情報を含む接続要求を送信し、前記サーバに接続する第二の接続ステップと、前記サーバから前記移動通信端末と前記制御対象の電子機器に対して、位置情報取得要求を送信する位置情報取得要求送信ステップと、前記位置情報取得要求に対して、前記移動通信端末と前記制御対象の電子機器とが応答した位置情報が一致したと見なせる場合に、前記移動通信端末と前記電子機器とを関連付けて、前記サーバ内の関連付けテーブルに登録する関連付けステップとを有することを特徴とする。
【００１１】
本発明は、移動通信端末を使用して、サーバを介して制御対象の電子機器を制御する電子機器制御方法であって、前記制御対象の電子機器が前記サーバに対して、認証要求を送信する認証要求送信ステップと、前記制御対象の電子機器が認証できた場合に、前記サーバが該電子機器に対して、識別情報を送信する識別情報送信ステップと、前記制御対象の電子機器が受信した識別情報を前記移動通信端末が取得する識別情報取得ステップと、前記移動通信端末が前記識別情報を含む接続要求を前記サーバに対して送信する接続要求送信ステップと、前記接続要求に含まれる前記識別情報と、前記電子機器に対して送信した識別情報とが一致した場合に、前記移動通信端末と前記電子機器とを関連付けて、前記サーバ内の関連付けテーブルに登録する関連付けステップとを有することを特徴とする。
【００１２】
本発明は、移動通信端末を使用して、サーバを介して制御対象の電子機器を制御する電子機器制御方法であって、前記移動通信端末が前記電子機器の機器特定情報を制御対象の電子機器から取得する機器特定情報取得ステップと、前記移動通信端末が前記制御対象の電子機器から取得した機器特定情報を含む接続要求を送信し、前記サーバに接続する接続ステップと、前記接続ステップによる接続要求に含まれる機器特定情報に基づいて、前記移動通信端末と前記電子機器とを関連付けて、前記サーバ内の関連付けテーブルに登録する関連付けステップとを有することを特徴とする。
【発明の効果】
【００１３】
本発明によれば、ホームサーバ等の制御装置を備える必要がなく、また、制御対象の電子機器が入力手段を備えていない場合であっても、移動通信端末において簡単な操作を行うのみで、移動通信端末と制御対象の電子機器とを関連付けることが可能となるため、移動通信端末の入力手段を使用して、制御対象の電子機器を制御するための操作を行うことができるという効果が得られる。
【発明を実施するための最良の形態】
【００１４】
以下、本発明の一実施形態による電子機器制御システムを図面を参照して説明する。図１は同実施形態の構成を示すブロック図である。この図において、符号Ａは、移動通信を行うことができる携帯電話機である。符号Ｂは、サービスを提供するサービス提供サーバである。符号Ｃ、Ｄ、Ｅは、サービス提供サーバＢから制御情報やコンテンツデータを受信して動作する電子機器である。電子機器Ｃ、Ｄ、Ｅは、例えば、サービス提供サーバＢから音楽データを受信して再生する音楽再生機器、制御情報を受信して起動・停止するセンサ機器、表示するべき情報を受信して表示する表示装置等から構成する。符号１は、通信ネットワークであり、例えば、移動通信ネットワークやインターネット等である。符号２は、携帯電話機Ａとの間で無線通信回線を確立して情報通信を行う基地局である。符号３は、基地局２をネットワーク１に接続するためにルーティング機能を有する接続サーバである。符号４は、電子機器Ｃ〜Ｅをネットワーク１に接続するためにルーティング機能を有するゲートウェイである。符号５は、音楽データ等のコンテンツデータが記憶されたコンテンツ記憶部である。
【００１５】
次に、図２〜図１１を参照して、図１に示す電子機器制御システムの動作を説明する。
【００１６】
＜第１の実施形態＞
初めに、図２を参照して、電子機器Ｃから携帯電話機Ａに対して、機器情報を伝達して、サービス提供サーバＢ内において、電子機器Ｃと携帯電話機Ａとを関連付ける動作を説明する。まず、携帯電話機Ａのユーザは、携帯電話機Ａに備えられたカメラを使用して、電子機器Ｃの本体に貼付されているバーコードを撮像することによりバーコードを読み込む（ステップＳ１）。このバーコードは、電子機器Ｃがサービス提供サーバＢにログインするためのＩＤ、パスワードをバーコード表示したものである。
【００１７】
続いて、ユーザは、電子機器Ｃに備えている電源スイッチをＯＮにする、または、所定の操作ボタンを押下する（ステップＳ２）。このタイミングで電子機器Ｃは、内部に予め設定されているサービス提供サーバＢのＩＰアドレスに対して、自己の固定ＩＰアドレスを含む接続要求を送信する（ステップＳ３）。なお、電子機器ＣのＩＰアドレスが、固定でない場合、ネットワーク１への接続時にサービス提供サーバＢがＴＣＰ／ＩＰの機能として電子機器ＣのＩＰアドレスは取得するようにしてもよい。また、電子機器Ｃがネットワーク１にアクセスする前に電子機器Ｃがネットワーク１上のＩＰアドレスを取得し、この取得したＩＰアドレスを含む接続要求を送信するようにしてもよい。
【００１８】
一方、携帯電話機Ａは、読み込んだバーコードを文字コード化する（ステップＳ４）。これにより、電子機器Ｃがサービス提供サーバＢにログインするためのＩＤ、パスワードを取得したことになる。そして、携帯電話機Ａは、内部に予め設定されているサービス提供サーバＢのＩＰアドレスに対して、接続要求を送信する（ステップＳ５）。このとき、携帯電話機Ａは読み込んだバーコードからサービス提供サーバＢのＩＰアドレスを取得するようにしてもよい。携帯電話機Ａが送信する接続要求には、携帯電話機Ａがサービス提供サーバＢにログインするためのＩＤ、パスワードに加え、電子機器Ｃがサービス提供サーバＢにログインするためのＩＤ、パスワードが含まれる。携帯電話機Ａは、接続サーバ３を介してサービス提供サーバＢに接続するため、携帯電話機ＡのＩＰアドレスは接続の度に動的に変化する。従ってサービス提供サーバＢは、携帯電話機Ａから接続要求を受信すると、ＴＣＰ／ＩＰの仕組によって動的に割り当てられたＩＰアドレスを接続サーバ３から取得する。
【００１９】
サービス提供サーバＢは、制御対象の電子機器Ｃからの接続要求と携帯電話機Ａからの接続要求が、同時に受信できたと見なすことができる所定時間（例えば、６０秒）内に受信でき、かつ携帯電話機Ａと電子機器Ｃの認証ができた場合は、携帯電話機Ａと電子機器Ｃとを関連付け（紐付け）るべき機器と見なして、内部の関連付けテーブルに登録する（ステップＳ６）。関連付けテーブルには、携帯電話機ＡのＩＤ（電話番号等）と携帯電話機ＡのＩＰアドレス（接続時に取得したもの）、電子機器Ｃの機器ＩＤ及び電子機器ＣのＩＰアドレス（接続時に取得したもの）が関連付けられて記憶される。この登録情報は、電子機器Ｃ及び携帯電話機Ａから紐付け解除要求が送信されるまで保持される。これにより、携帯電話機Ａが一旦切断した後も、保持された関連付け情報を用いて、再度携帯電話機Ａがサービス提供サーバＢにアクセスする度に電子機器Ｃに情報送信することができる。そして、サービス提供サーバＢは、携帯電話機Ａと電子機器Ｃとを関連付ける関連付けテーブルの登録情報を参照して、携帯電話機Ａから送信された制御情報に基づいて、電子機器Ｃに対して情報送信を行う（ステップＳ７）。なお、紐付け解除は電子機器Ｃまたは携帯電話機Ａの単独要求で行うようにすることもできる。
【００２０】
なお、紐付け完了後、電子機器Ｃが一旦切断し、再接続した時にＩＰアドレスが変化してしまう場合があるが、この場合登録情報のＩＰアドレスを再度更新し保持するようにしてもよい。
【００２１】
次に、図３を参照して、図２に示す動作の変形例を説明する。まず、ユーザは、電子機器Ｃに備えている電源スイッチをＯＮにする、または、所定の操作ボタンを押下する（ステップＳ１１）。これを受けて、電子機器Ｃは、自身が備えている表示装置に、バーコードを表示する（ステップＳ１２）。このバーコードは、電子機器Ｃがサービス提供サーバＢにログインするためのＩＤ、パスワードをバーコード表示したものである。
【００２２】
続いてユーザは、携帯電話機Ａに備えられたカメラを使用して、電子機器Ｃの表示装置に表示されているバーコードを撮像することによりバーコードを読み込む（ステップＳ１３）。携帯電話機Ａは、読み込んだバーコードを文字コード化する（ステップＳ１４）。これにより、電子機器Ｃがサービス提供サーバＢにログインするためのＩＤ、パスワードを取得したことになる。そして、携帯電話機Ａは、内部に予め設定されているサービス提供サーバＢのＩＰアドレスに対して、接続要求を送信する（ステップＳ１５）。このとき、携帯電話機Ａは読み込んだバーコードからサービス提供サーバＢのＩＰアドレスを取得するようにしてもよい。携帯電話機Ａが送信する接続要求には、携帯電話機ＡのＩＰアドレス、携帯電話機Ａがサービス提供サーバＢにログインするためのＩＤ、パスワードに加え、電子機器Ｃがサービス提供サーバＢにログインするためのＩＤ、パスワードが含まれる。携帯電話機Ａは、接続サーバ３を介してサービス提供サーバＢに接続するため、携帯電話機ＡのＩＰアドレスは接続の度に動的に変化する。従ってサービス提供サーバＢは、携帯電話機Ａから接続要求を受信すると、ＴＣＰ／ＩＰの仕組によって動的に割り当てられたＩＰアドレスを接続サーバ３から取得する。
【００２３】
一方、電子機器Ｃは、バーコードを表示した後に、内部に予め設定されているサービス提供サーバＢのＩＰアドレスに対して、自己の固定ＩＰアドレスを含む接続要求を送信する（ステップＳ１６）。なお、電子機器ＣのＩＰアドレスが、固定でない場合、ネットワーク１への接続時にサービス提供サーバＢがＴＣＰ／ＩＰの機能として電子機器ＣのＩＰアドレスは取得するようにしてもよい。また、電子機器Ｃがネットワーク１にアクセスする前に電子機器Ｃがネットワーク１上のＩＰアドレスを取得し、この取得したＩＰアドレスを含む接続要求を送信するようにしてもよい。サービス提供サーバＢは、制御対象の電子機器Ｃからの接続要求と携帯電話機Ａからの接続要求が、同時に受信できたと見なすことができる所定時間（例えば、６０秒）内に受信でき、かつ携帯電話機Ａと電子機器Ｃの認証ができた場合は、携帯電話機Ａと電子機器Ｃとを関連付け（紐付け）るべき機器と見なして、内部の関連付けテーブルに登録する（ステップＳ１７）。この登録情報は、電子機器Ｃ及び携帯電話機Ａから紐付け解除要求が送信されるまで保持される。これにより、携帯電話機Ａが一旦切断した後も、保持された関連付け情報を用いて、再度携帯電話機Ａがサービス提供サーバＢにアクセスする度に電子機器Ｃに情報送信することができる。そして、サービス提供サーバＢは、携帯電話機Ａと電子機器Ｃとを関連付ける関連付けテーブルの登録情報を参照して、携帯電話機Ａから送信された制御情報に基づいて、電子機器Ｃに対して情報送信を行う（ステップＳ１８）。
【００２４】
次に、図４参照して、図２に示す動作の他の変形例を説明する。まず、ユーザは、電子機器Ｃに備えている電源スイッチをＯＮにする、または、所定の操作ボタンを押下する（ステップＳ２１）。これを受けて、電子機器Ｃは、自身が備えているスピーカから音声データを発音する（ステップＳ２２）。この音声データは、電子機器Ｃがサービス提供サーバＢにログインするためのＩＤ、パスワードを音声データ化したものである。
【００２５】
続いてユーザは、携帯電話機Ａに備えられたマイクを使用して、電子機器Ｃのスピーカから発音している音声データを録音する（ステップＳ２３）。携帯電話機Ａは、録音した音声データをコード化する（ステップＳ２４）。これにより、電子機器Ｃがサービス提供サーバＢにログインするためのＩＤ、パスワードを取得したことになる。そして、携帯電話機Ａは、内部に予め設定されているサービス提供サーバＢのＩＰアドレスに対して、接続要求を送信する（ステップＳ２５）。このとき、携帯電話機Ａは読み込んだ音声データからサービス提供サーバＢのＩＰアドレスを取得するようにしてもよい。携帯電話機Ａが送信する接続要求には、携帯電話機ＡのＩＰアドレス、携帯電話機Ａがサービス提供サーバＢにログインするためのＩＤ、パスワードに加え、電子機器Ｃがサービス提供サーバＢにログインするためのＩＤ、パスワードが含まれる。携帯電話機Ａは、接続サーバ３を介してサービス提供サーバＢに接続するため、携帯電話機ＡのＩＰアドレスは接続の度に動的に変化する。従ってサービス提供サーバＢは、携帯電話機Ａから接続要求を受信すると、ＴＣＰ／ＩＰの仕組によって動的に割り当てられたＩＰアドレスを接続サーバ３から取得する。
【００２６】
一方、電子機器Ｃは、音声データを発音した後に、内部に予め設定されているサービス提供サーバＢのＩＰアドレスに対して、自己の固定ＩＰアドレスを含む接続要求を送信する（ステップＳ２６）。なお、電子機器ＣのＩＰアドレスが、固定でない場合、ネットワーク１への接続時にサービス提供サーバＢがＴＣＰ／ＩＰの機能として電子機器ＣのＩＰアドレスは取得するようにしてもよい。また、電子機器Ｃがネットワーク１にアクセスする前に電子機器Ｃがネットワーク１上のＩＰアドレスを取得し、この取得したＩＰアドレスを含む接続要求を送信するようにしてもよい。サービス提供サーバＢは、制御対象の電子機器Ｃからの接続要求と携帯電話機Ａからの接続要求が、同時に受信できたと見なすことができる所定時間（例えば、６０秒）内に受信でき、かつ携帯電話機Ａと電子機器Ｃの認証ができた場合は、携帯電話機Ａと電子機器Ｃとを関連付け（紐付け）るべき機器と見なして、内部の関連付けテーブルに登録する（ステップＳ２７）。この登録情報は、電子機器Ｃ及び携帯電話機Ａから紐付け解除要求が送信されるまで保持される。これにより、携帯電話機Ａが一旦切断した後も、保持された関連付け情報を用いて、再度携帯電話機Ａがサービス提供サーバＢにアクセスする度に電子機器Ｃに情報送信することができる。そして、サービス提供サーバＢは、携帯電話機Ａと電子機器Ｃとを関連付ける関連付けテーブルの登録情報を参照して、携帯電話機Ａから送信された制御情報に基づいて、電子機器Ｃに対して情報送信を行う（ステップＳ２８）。
【００２７】
このように、電子機器Ｃから携帯電話機Ａに対して、機器情報を伝達して、サービス提供サーバＢ内において、電子機器Ｃと携帯電話機Ａとを関連付けるようにしたため、携帯電話機Ａを使用して、入力手段を備えていない電子機器Ｃの動作を直接制御することが可能となる。
【００２８】
＜第２の実施形態＞
次に、図５を参照して、電子機器Ｃと携帯電話機Ａとが存在する位置の情報に基づいて、サービス提供サーバＢ内において、電子機器Ｃと携帯電話機Ａとを関連付ける動作を説明する。まず、ユーザは、電子機器Ｃに備えている電源スイッチをＯＮにする、または、所定の操作ボタンを押下する（ステップＳ３１）。これを受けて電子機器Ｃは、内部に予め設定されているサービス提供サーバＢのＩＰアドレスに対して、ログインするためのＩＤ、パスワード及び自己の固定ＩＰアドレスを含む接続要求を送信する（ステップＳ３２）。なお、電子機器ＣのＩＰアドレスが、固定でない場合、ネットワーク１への接続時にサービス提供サーバＢがＴＣＰ／ＩＰの機能として電子機器ＣのＩＰアドレスは取得するようにしてもよい。また、電子機器Ｃがネットワーク１にアクセスする前に電子機器Ｃがネットワーク１上のＩＰアドレスを取得し、この取得したＩＰアドレスを含む接続要求を送信するようにしてもよい。またユーザは、携帯電話機Ａの所定のキー（予め決められた任意のキー）を押下する（ステップＳ３３）。これを受けて、携帯電話機Ａは、ログインするためのＩＤ、パスワードを含む接続要求を送信する（ステップＳ３４）。携帯電話機Ａは、接続サーバ３を介してサービス提供サーバＢに接続するため、携帯電話機ＡのＩＰアドレスは接続の度に動的に変化する。従ってサービス提供サーバＢは、携帯電話機Ａから接続要求を受信すると、ＴＣＰ／ＩＰの仕組によって動的に割り当てられたＩＰアドレスを接続サーバ３から取得する。
【００２９】
サービス提供サーバＢは、制御対象の電子機器Ｃからの接続要求と携帯電話機Ａからの接続要求が、同時に受信できたと見なすことができる所定時間（例えば、６０秒）内に受信でき、かつ携帯電話機Ａと電子機器Ｃの認証ができた場合、電子機器Ｃと携帯電話機Ａのそれぞれに対して、位置情報取得要求を送信する（ステップＳ３５、Ｓ３６）。これを受けて、電子機器Ｃは、内部に備えているＧＰＳ（Global Positioning System）により現在位置情報を取得し、この現在位置情報をサービス提供サーバＢに対して応答する（ステップＳ３７）。同様に、携帯電話機Ａは、内部に備えているＧＰＳにより現在位置情報を取得し、この現在位置情報をサービス提供サーバＢに対して応答する（ステップＳ３８）。
【００３０】
サービス提供サーバＢは、電子機器Ｃ及び携帯電話機Ａのそれぞれから応答された現在位置情報から両者が同一場所に存在すると見なせるか否かを判定し、一致すると見なせる場合は、携帯電話機Ａと電子機器Ｃとを関連付け（紐付け）るべき機器と見なして、内部の関連付けテーブルに登録する（ステップＳ３９）。関連付けテーブルには、携帯電話機ＡのＩＤ（電話番号等）と携帯電話機ＡのＩＰアドレス（接続時に取得したもの）、電子機器Ｃの機器ＩＤ及び電子機器ＣのＩＰアドレス（接続時に取得したもの）が関連付けられて記憶される。この登録情報は、電子機器Ｃ及び携帯電話機Ａから紐付け解除要求が送信されるまで保持される。これにより、携帯電話機Ａが一旦切断した後も、保持された関連付け情報を用いて、再度携帯電話機Ａがサービス提供サーバＢにアクセスする度に電子機器Ｃに情報送信することができる。そして、サービス提供サーバＢは、携帯電話機Ａと電子機器Ｃとを関連付ける関連付けテーブルの登録情報を参照して、携帯電話機Ａから送信された制御情報に基づいて、電子機器Ｃに対して情報送信を行う（ステップＳ４０）。
【００３１】
なお、紐付け完了後、電子機器Ｃが一旦切断し、再接続した時にＩＰアドレスが変化してしまう場合があるが、この場合登録情報のＩＰアドレスを再度更新し保持するようにしてもよい。
【００３２】
また、例えば電子機器Ｃが特定の場所に設置されて動かさない場合、電子機器Ｃが設置された場所の位置情報を携帯電話Ａなどで取得し、このデータを赤外線通信等で電子機器Ｃに送り、そのデータを電子機器Ｃが記憶することにより電子機器ＣがＧＰＳを持たない構成とすることも可能である。更にこれ以外のローカルな位置特定手段などを用いることも可能であり、携帯電話Ａと電子機器Ｃの相対位置を双方の発する微弱な電波の強度等により測定する手段を用いて同一場所に存在することを確認する構成とすることもできる。
【００３３】
このように、電子機器Ｃと携帯電話機Ａとが存在する位置の情報に基づいて、サービス提供サーバＢ内において、電子機器Ｃと携帯電話機Ａとを関連付けるようにしたため、携帯電話機Ａを使用して、入力手段を備えていない電子機器Ｃの動作を直接制御することが可能となる。また、位置情報が一致したか否かに基づいて関連付けを行うようにしたため、関連付け処理を正確かつ確実に行うことができる。
【００３４】
＜第３の実施形態＞
次に、図６を参照して、サービス提供サーバＢから送信する情報に基づく応答を行うことにより、サービス提供サーバＢ内において、電子機器Ｃと携帯電話機Ａとを関連付ける動作を説明する。まず、ユーザは、電子機器Ｃに備えている電源スイッチをＯＮにする、または、所定の操作ボタンを押下する（ステップＳ４１）。これを受けて電子機器Ｃは、内部に予め設定されているサービス提供サーバＢのＩＰアドレスに対して、ログインするためのＩＤ、パスワードを含む認証要求を送信する（ステップＳ４２）。これを受けて、サービス提供サーバＢは、電子機器Ｃが送信した認証要求に基づいて、電子機器Ｃの認証を行い、認証された場合は、電子機器Ｃに対して文字列からなるパスコードを送信する（ステップＳ４３）。電子機器Ｃは、このパスコードを受信し、自身が備えている表示装置に表示する（ステップＳ４４）。
【００３５】
ユーザは、電子機器Ｃに表示されたパスコードを目視して読み取り（ステップＳ４５）、携帯電話機Ａのキーを操作して、読み取ったパスコードを入力する（ステップＳ４６）。携帯電話機Ａは、この入力されたパスコードとログインするためのＩＤ、パスワードを含む接続要求をサービス提供サーバＢへ送信する（ステップＳ４７）。
【００３６】
サービス提供サーバＢは、携帯電話機Ａから送信されたＩＤ、パスワードを認証して、認証できれば、携帯電話機Ａから送信されたパスコードと、自身が電子機器Ｃに対して送信したパスコードとを照合して、一致するか否かを判定し、一致する場合は、携帯電話機Ａと電子機器Ｃとを関連付け（紐付け）るべき機器と見なして、内部の関連付けテーブルに登録する（ステップＳ４８）。関連付けテーブルには、携帯電話機ＡのＩＤ（電話番号等）と携帯電話機ＡのＩＰアドレス（接続時に取得したもの）、電子機器Ｃの機器ＩＤ及び電子機器ＣのＩＰアドレス（接続時に取得したもの）が関連付けられて記憶される。この登録情報は、電子機器Ｃ及び携帯電話機Ａから紐付け解除要求が送信されるまで保持される。これにより、携帯電話機Ａが一旦切断した後も、保持された関連付け情報を用いて、再度携帯電話機Ａがサービス提供サーバＢにアクセスする度に電子機器Ｃに情報送信することができる。そして、サービス提供サーバＢは、携帯電話機Ａと電子機器Ｃとを関連付ける関連付けテーブルの登録情報を参照して、携帯電話機Ａから送信された制御情報に基づいて、電子機器Ｃに対して情報送信を行う（ステップＳ４９）。
【００３７】
なお、紐付け完了後、電子機器Ｃが一旦切断し、再接続した時にＩＰアドレスが変化してしまう場合があるが、この場合登録情報のＩＰアドレスを再度更新し保持するようにしてもよい。
【００３８】
次に、図７を参照して、図６に示す動作の変形例を説明する。まず、ユーザは、電子機器Ｃに備えている電源スイッチをＯＮにする、または、所定の操作ボタンを押下する（ステップＳ５１）。これを受けて電子機器Ｃは、内部に予め設定されているサービス提供サーバＢのＩＰアドレスに対して、ログインするためのＩＤ、パスワードを含む認証要求を送信する（ステップＳ５２）。これを受けて、サービス提供サーバＢは、電子機器Ｃが送信した認証要求に基づいて、電子機器Ｃの認証を行い、認証された場合は、電子機器Ｃに対して一意となる識別用画像を送信する（ステップＳ５３）。電子機器Ｃは、この識別用画像を受信し、自身が備えている表示装置に表示する（ステップＳ５４）。
【００３９】
ユーザは、携帯電話機Ａに備えられたカメラを使用して、電子機器Ｃの表示装置に表示されている識別用画像を撮像することにより画像を読み取り（ステップＳ５５）、読み取った識別用画像とログインするためのＩＤ、パスワードを含む接続要求をサービス提供サーバＢへ送信する（ステップＳ５６）。
【００４０】
サービス提供サーバＢは、携帯電話機Ａから送信されたＩＤ、パスワードを認証して、認証できれば、携帯電話機Ａから送信された識別用画像と、自身が電子機器Ｃに対して送信した識別用画像とを照合して、一致するか否かを判定し、一致する場合は、携帯電話機Ａと電子機器Ｃとを関連付け（紐付け）るべき機器と見なして、内部の関連付けテーブルに登録する（ステップＳ５７）。この登録情報は、電子機器Ｃ及び携帯電話機Ａから紐付け解除要求が送信されるまで保持される。これにより、携帯電話機Ａが一旦切断した後も、保持された関連付け情報を用いて、再度携帯電話機Ａがサービス提供サーバＢにアクセスする度に電子機器Ｃに情報送信することができる。そして、サービス提供サーバＢは、携帯電話機Ａと電子機器Ｃとを関連付ける関連付けテーブルの登録情報を参照して、携帯電話機Ａから送信された制御情報に基づいて、電子機器Ｃに対して情報送信を行う（ステップＳ５８）。
【００４１】
次に、図８を参照して、図６に示す動作の他の変形例を説明する。まず、ユーザは、電子機器Ｃに備えている電源スイッチをＯＮにする、または、所定の操作ボタンを押下する（ステップＳ６１）。これを受けて電子機器Ｃは、内部に予め設定されているサービス提供サーバＢのＩＰアドレスに対して、ログインするためのＩＤ、パスワードを含む認証要求を送信する（ステップＳ６２）。これを受けて、サービス提供サーバＢは、電子機器Ｃが送信した認証要求に基づいて、電子機器Ｃの認証を行い、認証された場合は、電子機器Ｃに対して一意となる識別用音声を送信する（ステップＳ６３）。電子機器Ｃは、この識別用音声を受信し、自身が備えているスピーカから再生する（ステップＳ６４）。
【００４２】
ユーザは、携帯電話機Ａに備えられたマイクを使用して、電子機器Ｃのスピーカから発音されている識別用音声を録音し（ステップＳ５６５）、録音した識別用音声とログインするためのＩＤ、パスワードを含む接続要求をサービス提供サーバＢへ送信する（ステップＳ６６）。
【００４３】
サービス提供サーバＢは、携帯電話機Ａから送信されたＩＤ、パスワードを認証して、認証できれば、携帯電話機Ａから送信された識別用音声データと、自身が電子機器Ｃに対して送信した識別用音声データとを照合して、一致するか否かを判定し、一致する場合は、携帯電話機Ａと電子機器Ｃとを関連付け（紐付け）るべき機器と見なして、内部の関連付けテーブルに登録する（ステップＳ６７）。この登録情報は、電子機器Ｃ及び携帯電話機Ａから紐付け解除要求が送信されるまで保持される。これにより、携帯電話機Ａが一旦切断した後も、保持された関連付け情報を用いて、再度携帯電話機Ａがサービス提供サーバＢにアクセスする度に電子機器Ｃに情報送信することができる。そして、サービス提供サーバＢは、携帯電話機Ａと電子機器Ｃとを関連付ける関連付けテーブルの登録情報を参照して、携帯電話機Ａから送信された制御情報に基づいて、電子機器Ｃに対して情報送信を行う（ステップＳ６８）。
【００４４】
次に、図９を参照して、図６に示す動作の他の変形例を説明する。まず、ユーザは、電子機器Ｃに備えている電源スイッチをＯＮにする、または、所定の操作ボタンを押下する（ステップＳ７１）。これを受けて電子機器Ｃは、内部に予め設定されているサービス提供サーバＢのＩＰアドレスに対して、ログインするためのＩＤ、パスワードを含む認証要求を送信する（ステップＳ７２）。これを受けて、サービス提供サーバＢは、電子機器Ｃが送信した認証要求に基づいて、電子機器Ｃの認証を行い、認証された場合は、電子機器Ｃに対して一意となるパスコードを送信する（ステップＳ７３）。電子機器Ｃは、このパスコードを受信し、自身が備えている赤外線送信部から送信する（ステップＳ７４）。
【００４５】
ユーザは、携帯電話機Ａに備えられた赤外線受信部を使用して、電子機器Ｃの赤外線送信部から送信されている赤外線信号を受信してパスコードを復元する（ステップＳ７５、Ｓ７６）。そして、携帯電話機Ａは、復元したパスコードとログインするためのＩＤ、パスワードを含む接続要求をサービス提供サーバＢへ送信する（ステップＳ７７）。
【００４６】
サービス提供サーバＢは、携帯電話機Ａから送信されたＩＤ、パスワードを認証して、認証できれば、携帯電話機Ａから送信されたパスコードと、自身が電子機器Ｃに対して送信したパスコードとを照合して、一致するか否かを判定し、一致する場合は、携帯電話機Ａと電子機器Ｃとを関連付け（紐付け）るべき機器と見なして、内部の関連付けテーブルに登録する（ステップＳ７８）。この登録情報は、電子機器Ｃ及び携帯電話機Ａから紐付け解除要求が送信されるまで保持される。これにより、携帯電話機Ａが一旦切断した後も、保持された関連付け情報を用いて、再度携帯電話機Ａがサービス提供サーバＢにアクセスする度に電子機器Ｃに情報送信することができる。そして、サービス提供サーバＢは、携帯電話機Ａと電子機器Ｃとを関連付ける関連付けテーブルの登録情報を参照して、携帯電話機Ａから送信された制御情報に基づいて、電子機器Ｃに対して情報送信を行う（ステップＳ７９）。
【００４７】
このように、サービス提供サーバＢから送信する情報に基づく応答を行うことにより、サービス提供サーバＢ内において、電子機器Ｃと携帯電話機Ａとを関連付けるようにしたため、携帯電話機Ａを使用して、入力手段を備えていない電子機器Ｃの動作を直接制御することが可能となる。
【００４８】
＜第４の実施形態＞
次に、図１０を参照して、電子機器Ｃから携帯電話機Ａに対して、機器情報を伝達して、サービス提供サーバＢ内において、電子機器Ｃと携帯電話機Ａとを関連付ける場合に、電子機器Ｃと携帯電話機Ａをそれぞれ任意のタイミングでアクセスする状況における紐付け動作を説明する。まず、携帯電話機Ａのユーザは、携帯電話機Ａに備えられたカメラを使用して、電子機器Ｃの本体に貼付されているバーコードを撮像することによりバーコードを読み込む(ステップＳ８１)。このバーコードは、電子機器Ｃがサービス提供サーバＢにログインするためのIＤ、パスワードである。
【００４９】
次に、携帯電話機Ａは、読み込んだバーコードを文字コード化し、電子機器Ｃがサービス提供サーバＢにログインするためのＩＤ、パスワードを取得する（ステップＳ８２）。そして、携帯電話機Ａは、内部に予め設定されているサービス提供サーバＢのＩＰアドレスに対して、接続要求を送信する（ステップＳ８３）。このとき、携帯電話機Ａは読み込んだバーコードからサービス提供サーバＢのＩＰアドレスを取得するようにしてもよい。携帯電話機Ａが送信する接続要求には、携帯電話機Ａがサービス提供サーバＢにログインするためのＩＤ、パスワードに加え、電子機器Ｃがサービス提供サーバＢにログインするためのＩＤ、パスワードが含まれる。
【００５０】
サービス提供サーバＢは、携帯電話機Ａからの接続要求に含まれる情報に基づいて、携帯電話機Ａの認証ができた場合は、携帯電話機Ａと電子機器Ｃとを関連付け（紐付け）るべき機器と見なして、携帯電話機ＡのIＤ(電話番号等)と携帯電話機ＡのＩＰアドレス(接続時に取得したもの)、電子機器Ｃの機器IＤを内部の関連付けテーブルに仮に登録しておく（ステップＳ８４）。
【００５１】
これとは別に電子機器Ｃは、任意のタイミングで電源スイッチをONにする、または、所定の操作ボタンを押下する（ステップＳ８５）。このタイミングで電子機器Ｃは、内部に予め設定されているサービス提供サーバＢのＩＰアドレスに対して、自己の固定ＩＰアドレスを含む接続要求を送信する(ステップＳ８６)。なお、電子機器ＣのＩＰアドレスが、固定でない場合、ネットワーク１への接続時にサービス提供サーバＢがＴＣＰ／ＩＰの機能として電子機器ＣのＩＰアドレスは取得するようにしてもよい。また、電子機器Ｃがネットワーク１にアクセスする前に電子機器Ｃがネットワーク１上のＩＰアドレスを取得し、この取得したＩＰアドレスを含む接続要求を送信するようにしてもよい。サービス提供サーバＢは、この電子機器Ｃの接続タイミングにおいて、電子機器Ｃの機器IＤの内部の関連付けテーブルの登録状況を確認し、仮登録状態であれば、電子機器ＣのＩＰアドレスをさらに関連付けテーブルに登録して、電子機器Ｃと携帯電話機Ａの紐付けを完了する(ステップＳ８７)。この登録情報は、電子機器Ｃ及び携帯電話機Ａから紐付け解除要求が送信されるまで保持される。これにより、携帯電話機Ａが一旦切断した後も、保持された関連付け情報を用いて、再度携帯電話機Ａがサービス提供サーバＢにアクセスする度に電子機器Ｃに情報送信することができる。そして、サービス提供サーバＢは、携帯電話機Ａと電子機器Ｃとを関連付ける関連付けテーブルの登録情報を参照して、携帯電話機Ａから送信された制御情報に基づいて、電子機器Ｃに対して情報送信を行う（ステップＳ８８）。
【００５２】
上記とは逆に、サービス提供サーバＢの内部の関連付けテーブルの仮登録前に、電子機器Ｃがサービス提供サーバＢに接続していた場合について、図１１を参照して動作を説明する。先ず、電子機器Ｃの電源スイッチをONにするか、または、所定の操作ボタンを押下する（ステップＳ９１）。このタイミングで電子機器Ｃは、内部に予め設定されているサービス提供サーバＢのＩＰアドレスに対して、自己の固定ＩＰアドレスを含む接続要求を送信する(ステップＳ９２)。なお、電子機器ＣのＩＰアドレスが、固定でない場合、ネットワーク１への接続時にサービス提供サーバＢがＴＣＰ／ＩＰの機能として電子機器ＣのＩＰアドレスは取得するようにしてもよい。また、電子機器Ｃがネットワーク１にアクセスする前に電子機器Ｃがネットワーク１上のＩＰアドレスを取得し、この取得したＩＰアドレスを含む接続要求を送信するようにしてもよい。
【００５３】
サービス提供サーバＢは、この電子機器Ｃの接続タイミングにおいて電子機器Ｃの認証ができた場合は、電子機器Ｃの機器IＤの内部の関連付けテーブルの登録状況を確認し、未登録状態(登録状態、仮登録状態いづれの状態でもない状態)であった場合、電子機器Ｃに対する携帯電話機Ａからの接続要求を待つ(ステップＳ９３)。この時、内部テーブルに機器IＤと電子機器ＣのＩＰアドレスを仮に登録しておいてもよい。
【００５４】
これとは別に携帯電話機Ａは任意のタイミングで、電子機器Ｃの機器情報をバーコード等により読み込み(ステップＳ９４)、電子機器Ｃがサービス提供サーバＢにログインするためのＩＤ、パスワードを取得し（ステップＳ９５）、サービス提供サーバＢに接続要求を送信する(ステップＳ９６)。
【００５５】
サービス提供サーバＢは、この携帯電話機Ａの接続タイミングにおいて携帯電話機Ａの認証ができた場合は、電子機器Ｃの機器IＤの内部の関連付けテーブルの登録状況を確認し、登録待ち状態であれば、携帯電話機ＡのIＤ(電話番号等)と携帯電話機ＡのＩＰアドレス(接続時に取得したもの)、電子機器Ｃの機器IＤを関連付けテーブルに登録して、電子機器Ｃと携帯電話機Ａの紐付けを完了する(ステップＳ９７)。この登録情報は、電子機器Ｃ及び携帯電話機Ａから紐付け解除要求が送信されるまで保持される。これにより、携帯電話機Ａが一旦切断した後も、保持された関連付け情報を用いて、再度携帯電話機Ａがサービス提供サーバＢにアクセスする度に電子機器Ｃに情報送信することができる。そして、サービス提供サーバＢは、携帯電話機Ａと電子機器Ｃとを関連付ける関連付けテーブルの登録情報を参照して、携帯電話機Ａから送信された制御情報に基づいて、電子機器Ｃに対して情報送信を行う（ステップＳ９８）。
【００５６】
なお、上記、携帯電話機Ａが電子機器Ｃから取得する機器情報は、本体に貼付されたバーコードのみならず、画像、音声、赤外線装置からのデータから文字コードに復号化することで取得するように構成してもよい。
【００５７】
このように、上記構成では、携帯電話機Ａと電子機器Ｃの紐付け設定がそれぞれ別のタイミングで行われるため、同時性が保障されず、意図せず他人に電子機器Ｃが渡ってしまった場合でも、紐付け自体は完了するため、なりすましのリスクが多少増加する。しかし、携帯電話機Ａと電子機器Ｃが同時にネットワークにアクセスできない状況においても、仮に紐付けを完了させることが可能となるため、システムの柔軟な運用が可能となり、さらにユーザビリティが向上する。
【００５８】
以上説明したように、制御対象の電子機器が入力手段を備えていない場合であっても、移動通信端末において簡単な操作を行うのみで、移動通信端末と制御対象の電子機器とを関連付けることが可能となるため、移動通信端末の入力手段を使用して、制御対象の電子機器を制御するための操作を行うことができる。
【００５９】
なお、図１における処理部の機能を実現するためのプログラムをコンピュータ読み取り可能な記録媒体に記録して、この記録媒体に記録されたプログラムをコンピュータシステムに読み込ませ、実行することにより電子機器と携帯電話機（移動通信端末）とを関連付ける処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００６０】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００６１】
【図１】本発明の一実施形態の構成を示すブロック図である。
【図２】図１に示すシステムの動作を示すシーケンス図である。
【図３】図１に示すシステムの動作を示すシーケンス図である。
【図４】図１に示すシステムの動作を示すシーケンス図である。
【図５】図１に示すシステムの動作を示すシーケンス図である。
【図６】図１に示すシステムの動作を示すシーケンス図である。
【図７】図１に示すシステムの動作を示すシーケンス図である。
【図８】図１に示すシステムの動作を示すシーケンス図である。
【図９】図１に示すシステムの動作を示すシーケンス図である。
【図１０】図１に示すシステムの動作を示すシーケンス図である。
【図１１】図１に示すシステムの動作を示すシーケンス図である。
【符号の説明】
【００６２】
Ａ・・・携帯電話機、Ｂ・・・サービス提供サーバ、Ｃ、Ｄ、Ｅ・・・電子機器、１・・・インターネット、２、４・・・接続サーバ、３・・・基地局、５・・・ゲートウェイ、６・・・コンテンツ記憶部
【図１】
2008147768.tif 000003
【図２】
2008147768.tif 000004
【図３】
2008147768.tif 000005
【図４】
2008147768.tif 000006
【図５】
2008147768.tif 000007
【図６】
2008147768.tif 000008
【図７】
2008147768.tif 000009
【図８】
2008147768.tif 000010
【図９】
2008147768.tif 000011
【図１０】
2008147768.tif 000012
【図１１】
2008147768.tif 000013